(57)【要約】【課題】バケットがます本体に装着された状態でも上方から容易に視認することができ、バケットに容易に着脱できる表示札を提供する。【解決手段】雨水ます用のバケット２０の持ち手２１に取り付けられる表示札１である。表示札１は、平板状部材からなっている。表示札１には、持ち手２１を貫通させる第１貫通孔１１および第２貫通孔１２と、第１貫通孔１１と第２貫通孔１２とを結ぶスリット孔１３とが形成されている。【選択図】図１
2011202431.tif 000002
【特許請求の範囲】
【請求項１】
雨水ます用バケットの持ち手に取り付けられる表示札であって、
平板状部材からなり、前記持ち手を貫通させる第１および第２の貫通孔と、前記第１の貫通孔と前記第２の貫通孔とを結ぶスリット孔とが形成された、雨水ます用バケットの表示札。
【請求項２】
可撓性を有する材料からなり、
前記スリット孔は、前記第１の貫通孔の中心と前記第２の貫通孔の中心とを結ぶ線を跨ぐように形成されている、請求項１に記載の雨水ます用バケットの表示札。
【請求項３】
前記持ち手は、上側に行くほど互いに近づくように傾斜した一対の傾斜部を有し、
前記傾斜部が前記第１および第２の貫通孔を貫通することによって、前記持ち手に支持される、請求項１または２に記載の雨水ます用バケットの表示札。
【請求項４】
前記持ち手に取り付けられた状態で前記雨水ます用バケットの内部が上方から視認できるように、少なくとも一部が透明である、請求項１〜３のいずれか一つに記載の雨水ます用バケットの表示札。
【請求項５】
請求項１〜４のいずれか一つに記載の雨水ます用バケットの表示札が取り付けられた雨水ます用バケットと、前記雨水ます用バケットを収容したます本体と、を備えた雨水ます。
【発明の詳細な説明】
【技術分野】
【０００１】
本発明は、雨水ます用バケットの表示札およびこの表示札を備えた雨水ますに関する。
【背景技術】
【０００２】
雨水を排出する管路には雨水だけでなく、雨水に混じった泥や異物も流れる。そこで従来から、雨水ますの内部にバケットを着脱自在に装着することが行われている。バケットを備えた雨水ますでは、雨水に混じった泥等はバケットに回収される。そのため、バケットをます本体から取り外し、バケット内の泥等を外部に排出した後、バケットをます本体に再び装着することによって、雨水ますに泥が堆積することを容易に防止することができる。
【０００３】
ところで、バケットはます本体に着脱自在ではあるが、装着時には、ます本体内の雨水によって浮き上がってしまわないようにしっかりと装着する必要がある。そこで従来から、作業者に注意を喚起するために、装着時の注意などを記した表示札をバケットに付けておくことが多い。
【０００４】
図８に示すように、従来は、汎用的な吊り下げ式の表示札１００が用いられていた。具体的には、従来の表示札１００は、表示部１０１と、表示部１０１の上側に設けられた固定部１０２とを備え、固定部１０２がバケット１１０の持ち手１１１に固定されることによって、バケット１１０に取り付けられていた。
【発明の概要】
【発明が解決しようとする課題】
【０００５】
しかし、上記表示札１００は、バケット１１０がます本体に装着された状態では、上方から視認することができなかった。すなわち、雨水ますの施工後に、地上から雨水ますを覗き込んだ人が表示札１００の注意書きを見ることができないという課題があった。また、表示札１００をバケット１１０の持ち手１１１に固定する作業が面倒であった。また、表示札１００をバケット１１０の持ち手１１１に一旦取り付けると、簡単には取り外すことができなかった。
【０００６】
本発明はかかる点に鑑みてなされたものであり、その目的とするところは、バケットがます本体に装着された状態でも上方から容易に視認することができ、バケットに容易に着脱できる表示札を提供することにある。
【課題を解決するための手段】
【０００７】
本発明に係る表示札は、雨水ます用バケットの持ち手に取り付けられる表示札であって、平板状部材からなり、前記持ち手を貫通させる第１および第２の貫通孔と、前記第１の貫通孔と前記第２の貫通孔とを結ぶスリット孔とが形成されたものである。
【０００８】
上記表示札は、第１および第２の貫通孔に持ち手を貫通させることによって、持ち手に取り付けられる。そのため、上記表示札は持ち手に取り付けられた状態において、上方から視認することができる。したがって、上記表示札によれば、バケットがます本体に装着された状態でも、上方から容易に視認することができる。また、第１および第２の貫通孔に持ち手を挿通させるだけの簡単な作業により、表示札をバケットに容易に取り付けることができる。また、第１および第２の貫通孔から持ち手を引き抜くだけの簡単な作業により、表示札をバケットから容易に取り外すことができる。したがって、上記表示札によれば、バケットに対し容易に着脱することができる。
【０００９】
前記表示札は可撓性を有する材料からなり、前記スリット孔は、前記第１の貫通孔の中心と前記第２の貫通孔の中心とを結ぶ線を跨ぐように形成されていることが好ましい。
【００１０】
これにより、表示札が持ち手から外れにくくなる。そのため、万が一、ます本体内に大量の雨水が溜まり、表示札が雨水に漬かってしまった場合であっても、表示札が持ち手から外れてしまうことを防止することができる。なお、スリット孔は第１の貫通孔の中心と第２の貫通孔の中心とを結ぶ線を跨ぐように形成されているが、表示札は可撓性を有する材料から構成されているので、表示札を変形させることによって持ち手に容易に取り付けることができる。
【００１１】
前記持ち手は、上側に行くほど互いに近づくように傾斜した一対の傾斜部を有し、前記表示札は、前記傾斜部が前記第１および第２の貫通孔を貫通することによって、前記持ち手に支持されることが好ましい。
【００１２】
このことにより、表示札は持ち手の上下方向の中途部分に支持されることになる。そのため、作業者が注意深く表示札の位置決めを行わなくても、表示札を持ち手に対して上方から嵌め込むだけで、表示札は所定の位置に自動的に位置決めされることになる。したがって、簡単な作業によって、表示札がバケットの上方を塞いでしまうことや、表示札が雨水ますの雨水の流れを妨げてしまうことを防止することができる。
【００１３】
前記表示札は、前記持ち手に取り付けられた状態で前記雨水ます用バケットの内部が上方から視認できるように、少なくとも一部が透明であることが好ましい。
【００１４】
このことにより、表示札を通して、バケット内に泥等が溜まったか否かを容易に視認することができる。
【００１５】
本発明に係る雨水ますは、前記表示札が取り付けられた雨水ます用バケットと、前記雨水ます用バケットを収容したます本体と、を備えたものである。
【発明の効果】
【００１６】
以上のように、本発明によれば、バケットがます本体に装着された状態でも上方から容易に視認することができ、バケットに容易に着脱できる表示札を提供することが可能となる。
【図面の簡単な説明】
【００１７】
【図１】表示札が取り付けられた状態のバケットの斜視図である。
【図２】表示札の平面図である。
【図３】表示札を取り付ける前のバケットの斜視図である。
【図４】表示札が取り付けられた状態のバケットの平面図である。
【図５】雨水ますの断面図である。
【図６】変形例に係る表示札の平面図である。
【図７】他の変形例に係る表示札の平面図である。
【図８】従来の表示札が取り付けられたバケットの斜視図である。
【発明を実施するための形態】
【００１８】
図１に示すように、本実施形態に係る表示札１は、雨水ます用のバケット２０の持ち手２１に取り付けられるものである。表示札１は薄肉の平板状部材からなっている。本実施形態では、表示札１は円板状に形成されている。ただし、表示札１の形状は円板状に限らず、例えば矩形板状等の他の形状であってもよい。また、表示札１は可撓性を有する材料からなっており、例えば樹脂材料からなっている。さらにまた、表示札１は透明な材料からなっている。表示札１の一部のみが透明であってもよいが、本実施形態では表示札１の全体が透明となっている。具体的には、本実施形態に係る表示札１は、厚さ０．２〜０．３ｍｍの透明なポリプロピレン樹脂製の円板からなっている。なお、本明細書でいう「透明」には、無色透明の他、有色の透明も含まれる。また、本明細書でいう「透明」には、いわゆる半透明も含まれる。上方から表示札１を通してバケット２０の内部が視認できる限り、その表示札１は透明であると見なすことができる。
【００１９】
図２に示すように、表示札１には、第１貫通孔１１と、第２貫通孔１２と、スリット孔１３とが形成されている。スリット孔１３は第１貫通孔１１と第２貫通孔１２とを結んでいる。図２に示す二点鎖線１４は、第１貫通孔１１の中心と第２貫通孔１２の中心とを結ぶ線である。スリット孔１３は線１４を跨ぐように形成されている。言い換えると、スリット孔１３は線１４と交差するように延びている。詳しくは、スリット孔１３は、線１４を境として一方側（図２の上側）に位置する第１スリット部１３ａと、他方側（図２の下側）に位置する第２スリット部１３ｂとからなっている。なお、スリット孔１３は、表示札１の中心に関して点対称に形成されている。
【００２０】
図１に示すように、第１貫通孔１１および第２貫通孔１２には、持ち手２１が貫通される。第１貫通孔１１および第２貫通孔１２の内径は、持ち手２１（より詳しくは、後述する傾斜部２１ｂ）の外径とほぼ等しくなっている。スリット孔１３の幅は、第１貫通孔１１および第２貫通孔１２の内径よりも小さいことが好ましい。ただし、スリット孔１３の幅は、第１貫通孔１１および第２貫通孔１２の内径と等しくてもよく、大きくてもよい。スリット孔１３の幅は零であってもよい。
【００２１】
図示は省略するが、表示札１の上面には、例えば文字または絵等からなる所定の注意書きが記載されている。
【００２２】
バケット２０は、有底円筒状の樹脂製のバケット本体２２を有している。持ち手２１はステンレス製であり、バケット本体２２の上部から上方に延びている。持ち手２１は、鉛直方向に延びる一対の鉛直部２１ａと、各鉛直部２１ａの上端から傾斜した傾斜部２１ｂと、両傾斜部２１ｂの上端をつなぐ水平部２１ｃとを有している。一対の傾斜部２１ｂは、上側に行くほど互いに近づくように傾斜している。言い換えると、傾斜部２１ｂは、上側に行くほどバケット２０の中央側に向かうように鉛直方向から傾斜している。なお、両傾斜部２１ｂの上端同士の距離は、第１貫通孔１１と第２貫通孔１２との間の距離よりも短く、両傾斜部２１ｂの下端同士の距離は、第１貫通孔１１と第２貫通孔１２との間の距離よりも長くなっている。
【００２３】
表示札１はバケット２０に対して着脱自在である。次に、表示札１をバケット２０に取り付ける方法およびバケット２０から取り外す方法について説明する。
【００２４】
表示札１をバケット２０に取り付ける際には、図３に示すように、第１貫通孔１１および第２貫通孔１２を持ち手２１の傾斜部２１ｂの上方に位置付け、表示札１を下方に向かって持ち手２１に嵌め込む。この際、表示札１は可撓性を有する材料によって形成されているので、表示札１のスリット孔１３の両側部分は、持ち手２１の水平部２１ｃによって押し広げられる。これにより、傾斜部２１ｂが第１貫通孔１１および第２貫通孔１２を貫通すると共に、水平部２１ｃがスリット孔１３を通過し、表示札１の上方に位置付けられる。図１に示すように、水平部２１ｃがスリット孔１３を通過した後は、スリット孔１３は閉じられた状態となる。
【００２５】
前述したように、両傾斜部２１ｂの下端同士の距離は、第１貫通孔１１と第２貫通孔１２との間の距離よりも長い。そのため、単に表示札１を押し下げることにより、表示札１は傾斜部２１ｂの中途部分に自動的に支持されることになる。このようにして、表示札１はバケット２０に取り付けられる。なお、図１は表示札１がバケット２０に取り付けられた状態の斜視図であり、図４は同状態の平面図である。
【００２６】
表示札１をバケット２０から取り外す際には、表示札１を上方に引き上げる。表示札１は変形容易であり、持ち手２１の傾斜部２１ｂに支持されているだけなので、表示札１を上方に引き上がるだけで、表示札１をバケット２０から容易に取り外すことができる。
【００２７】
図５は、バケット２０を有する雨水ます３０の断面図である。雨水ます３０は、略有底円筒状のます本体３１を備えている。ます本体３１の上部には、点検筒３４が接続されている。点検筒３４の上部には、蓋３５が嵌め込まれている。ます本体３１の受口３２には、雨水流入管４１が接続され、受口３３には雨水流出管４２が接続されている。
【００２８】
図５に示すように、表示札１は雨水ます３０の流路中心３８よりも高い位置に配置されている。言い換えると、表示札１は、雨水ます３０の流路のいわゆる半管部分（下半分の部分）よりも高い位置に配置されている。また、表示札１は略水平に配置されており、雨水ます３０の流路と平行となっている。
【００２９】
本実施形態に係る表示札１は、バケット２０の持ち手２１に取り付けられた状態において、上方から視認することができる。そのため、雨水ます３０の施工後に地上から雨水ます３０を覗き込むことによって、表示札１を視認することが可能となる。また、表示札１は、第１貫通孔１１および第２貫通孔１２に持ち手２１を挿通させるだけの簡単な作業によって、バケット２０に取り付けることができる。また、第１貫通孔１１および第２貫通孔１２から持ち手２１を抜くだけの簡単な作業によって、表示札１をバケット２０から容易に取り外すことができる。本実施形態に係る表示札１は、バケット２０に対する着脱が容易である。
【００３０】
本実施形態に係る表示札１では、図２に示すように、スリット孔１３は第１貫通孔１１の中心と第２貫通孔１２の中心とを結ぶ線１４を跨ぐように形成されている。そのため、表示札１は持ち手２１から外れにくくなっている。したがって、万が一、雨水ます３０に大量の雨水が溜まり、表示札１が雨水に漬かってしまった場合であっても、表示札１が浮力を受けることによって持ち手２１から外れてしまうことを防止することができる。
【００３１】
また、表示札１は持ち手２１の傾斜部２１ｂに支持されるように構成されている。そのため、作業者が注意深く表示札１の取付位置の位置決めを行わなくても、表示札１を上方から持ち手２１に嵌め込むだけで、表示札１は所定の位置（図５参照）に自動的に位置決めされることになる。したがって、表示札１が低い位置に配置されることによってバケット本体２２の上方を塞いでしまうことや、表示札１が雨水ます３０内の雨水の流れを妨げてしまうことを防止することができる。
【００３２】
なお、図５に示すように、表示札１は雨水ます３０の流路中心３８よりも高い位置に配置されている。そのため、通常は、表示札１が雨水ます３０内の雨水に漬かることはない。したがって、上述のように表示札１が自動的に位置決めされることによって、表示札１が浮力を受けて持ち手２１から外れてしまうことも防止することができる。
【００３３】
また、図５に示すように、表示札１は略水平に配置されており、雨水ます３０の流路と平行となっている。そのため、万が一、雨水ます３０に大量の雨水が溜まり、表示札１が雨水に漬かってしまった場合であっても、表示札１が雨水の流れを妨げてしまうことを抑制することができる。
【００３４】
本実施形態に係る表示札１は透明である。そのため、地上から雨水ます３０を覗き込むことによって、表示札１に記載された注意書きを視認できるだけでなく、表示札１を通じて、バケット２０内の様子を視認することができる。したがって、わざわざバケット２０を取り出さなくても、バケット２０に溜まった泥の量を地上から把握することができる。よって、バケット２０を清掃すべき時期を把握することが容易となる。すなわち、雨水ます３０のメンテナンスが容易となる。
【００３５】
なお、上記の実施形態は本発明の実施の一形態に過ぎず、本発明は他に種々の形態で実施することができる。図２に示すように、上記実施形態では、スリット孔１３は屈曲線状に形成されている。しかし、スリット孔１３の形状は屈曲線状に限定されず、例えば図６に示すように、湾曲線上に形成されていてもよい。
【００３６】
また、上記実施形態のスリット孔１３は、第１貫通孔１１の中心と第２貫通孔１２の中心とを結ぶ線１４を跨ぐように形成されているが、スリット孔１３が線１４を跨ぐことは必ずしも必要ではない。例えば図７に示すように、スリット孔１３は第１貫通孔１１と第２貫通孔１２とを結ぶ直線状に形成されていてもよい。
【００３７】
表示札１の材料はポリプロピレン樹脂に限らず、他の種類の樹脂であってもよい。また、表示札１は樹脂以外の材料で形成されていてもよい。
【００３８】
表示札１の厚みは一定でもよいが、一定でなくてもよい。本明細書でいう「平板状部材」は、厚みが一定の部材に限定される訳ではない。また、「平板状部材」は必ずしも単一の部材からなっていなくてもよく、複数の部材が組み合わせられたものであってもよい。
【符号の説明】
【００３９】
１      表示札
１１    第１貫通孔
１２    第２貫通孔
１３    スリット孔
１４    第１貫通孔の中心と第２貫通孔の中心とを結ぶ線
２０    バケット（雨水ます用バケット）
２１    持ち手
２１ｂ  傾斜部
２２    バケット本体
３０    雨水ます
３１    ます本体
【図１】
2011202431.tif 000003
【図２】
2011202431.tif 000004
【図３】
2011202431.tif 000005
【図４】
2011202431.tif 000006
【図５】
2011202431.tif 000007
【図６】
2011202431.tif 000008
【図７】
2011202431.tif 000009
【図８】
2011202431.tif 000010